(57)【要約】      （修正有）【課題】開閉に要するスライダーの移動距離を比較的短くでき、布団カバーに適用した場合に布団の出し入れの手間を低減し、また、布団カバー等の袋物に対する縫製を簡易化することができるスライドファスナーを提供する。【解決手段】布団カバー等の開口部に取り付けるスライドファスナー１０であって、ファスナーテープ１１と、ファスナーテープ１１の幅方向一方側端部に、長手方向に沿って取り付けたファスナーエレメント１２と、ファスナーテープ１１を長手方向中間部１１ａから折り返して対向させた、ファスナーエレメント１２の長手方向一方側半部である左エレメント部１２Ａと他方側半部である右エレメント部１２Ｂとの間を開閉するための四つのスライダー１３とを備える。【選択図】図１
0003176174.tif 000002
【実用新案登録請求の範囲】
【請求項１】
長手方向に長いファスナーテープ（１１）と、ファスナーテープ（１１）の、長手方向に垂直な幅方向における一方側端部に、長手方向に沿って取り付けられたファスナーエレメント（１２、４２）と、前記ファスナーテープ（１１）を長手方向中間部（１１ａ）から折り返して対向させた、前記ファスナーエレメント（１２、４２）の長手方向一方側半部（１２Ａ、４２Ａ）と長手方向他方側半部（１２Ｂ、４２Ｂ）との間を開閉するための少なくとも三つのスライダー（１３、５３）とを備えることを特徴とするスライドファスナー。
【請求項２】
開口部（２５）にスライドファスナー（１０、５０）が取り付けられた袋物（２０、７０）であって、
前記スライドファスナー（１０、５０）は、長手方向に長いファスナーテープ（１１）と、ファスナーテープ（１１）の、長手方向に垂直な幅方向における一方側端部に、長手方向に沿って取り付けられたファスナーエレメント（１２、４２）と、前記ファスナーテープ（１１）を長手方向中間部（１１ａ）から折り返して対向させた、前記ファスナーエレメント（１２、４２）の長手方向一方側半部（１２Ａ、４２Ａ）と長手方向他方側半部（１２Ｂ、４２Ｂ）との間を開閉するための少なくとも三つのスライダー（１３、５３）とを備えることを特徴とする袋物。
【請求項３】
前記袋物（２０、７０）は布団カバー（２０、７０）である請求項２に記載の袋物。
【考案の詳細な説明】
【技術分野】
【０００１】
本考案はスライドファスナー及び袋物に関し、特に、１本のファスナーストリンガーを折り返して使用するスライドファスナーと、このようなスライドファスナーが開口部に取り付けられた布団カバー等の袋物に関する。
【背景技術】
【０００２】
布団カバーには、一般に、長手側の左右一方の側部と短手側の上下両側部とにわたって連続する開口部が形成され、この開口部に長尺なスライドファスナーがコの字状に取り付けられている。このようなスライドファスナーは、一対の細長いファスナーテープにファスナーエレメントをそれぞれ取り付けてなる２本のファスナーストリンガーと、これらファスナーストリンガーのファスナーエレメント間を長手方向に沿って手動により摺動可能な一つ又は二つのスライダーとから構成される。スライダーは、長手方向一方への移動で、一対のファスナーエレメント間を開放し、他方への移動で閉じる。また、布団カバーとして、内部の布団に対するずれを防ぐため、布団側に設けられた環状片に対し、紐、ホック、テープ等を連結させる連結部を有するものが知られている。このような連結部は、布団カバーの四隅や、四隅に加えて上下左右の側部の各中間部にも設けられ得る。
【０００３】
しかしながら、従来の布団カバーでは、布団を出し入れする際、布団カバーの開口部を開閉するために、スライドファスナーのスライダーを比較的長い距離にわたって移動させる必要があり、手間がかかった。この問題点は、特に、上述した布団側の環状片と布団カバー側の連結部を連結又は連結解除を伴う場合、開口部を大きく開放させる必要があるため、一層顕著となる。
【考案の概要】
【考案が解決しようとする課題】
【０００４】
従って、本考案の目的は、開閉に要するスライダーの移動距離を比較的短くでき、布団カバーに適用した場合に布団の出し入れの手間を低減することができるスライドファスナー、及びこのようなスライドファスナーを備えた袋物を提供することである。
【課題を解決するための手段】
【０００５】
上記課題を解決するため、本考案によれば、長手方向に長いファスナーテープと、ファスナーテープの、長手方向に垂直な幅方向における一方側端部に、長手方向に沿って取り付けられたファスナーエレメントと、前記ファスナーテープを長手方向中間部から折り返して対向させた、前記ファスナーエレメントの長手方向一方側半部と長手方向他方側半部との間を開閉するための少なくとも三つのスライダーとを備えることを特徴とするスライドファスナーが提供される。
【０００６】
別の本考案によれば、開口部にスライドファスナーが取り付けられた袋物であって、前記スライドファスナーは、長手方向に長いファスナーテープと、ファスナーテープの、長手方向に垂直な幅方向における一方側端部に、長手方向に沿って取り付けられたファスナーエレメントと、前記ファスナーテープを長手方向中間部から折り返して対向させた、前記ファスナーエレメントの長手方向一方側半部と長手方向他方側半部との間を開閉するための少なくとも三つのスライダーとを備えることを特徴とする袋物が提供される。
【０００７】
本考案に係る袋物は、開口部に、少なくとも三つのスライダーを有するスライドファスナーが取り付けられる。そのため、袋物の開口部の開閉時にスライダーを比較的長距離にわたって移動させる必要がなくなる。袋物の例としては、例えば、布団カバー、鞄、クッションカバー等を挙げることができるが、これらに限定されるものではない。
【考案の効果】
【０００８】
本考案に係るスライドファスナー及び袋物では、少なくとも三つのスライダーを設けたため、袋物の開口部を開閉する際、各スライダーの移動距離が比較的短くなる。袋物が布団カバーである場合、布団カバーに対する布団の出し入れの手間が低減する。
【図面の簡単な説明】
【０００９】
【図１】図１は、本考案の第１実施形態に係るスライドファスナーの平面図である。
【図２】図２は、長手方向の中間部から折り返したファスナーストリンガーの左右エレメント部間に、第１〜第４スライダーを取り付ける状態を示す説明図である。
【図３】図３は、第１実施形態のスライドファスナーを備えた布団カバーを示す斜視説明図である。
【図４】図４は、布団カバーの開口部におけるスライドファスナーの断面説明図である。
【図５】図５は、布団カバーの下側部を開放した状態を示す説明図である。
【図６】図６は、布団カバーの上側部及び右側部を開放した状態を示す説明図である。
【図７】図７は、布団カバーの下側部及び右側部を開放した状態を示す説明図である。
【図８】図８は、布団カバーの角部付近における布団及び裏カバー部を破断して概略的に示す説明図であり、布団カバーに設けた環状片と裏カバー部に設けた連結部とが示される。
【図９】図９は、ジグザグタイプのファスナーエレメントを使用した場合の図４と同様の断面説明図である。
【図１０】図１０は、図９のファスナーエレメントを上から見た拡大図である。
【図１１】図１１は、本考案の第２実施形態に係るスライドファスナーの平面図である。
【図１２】図１２は、第２実施形態のスライドファスナーを備えた布団カバーを示す斜視説明図である。
【考案を実施するための形態】
【００１０】
以下、本考案の好適な実施形態を図面に基づいて説明するが、本考案はそのような実施形態に限定されるものではなく、実用新案登録請求の範囲内で適宜変更等がなされ得る。図１は、本考案の第１実施形態に係るスライドファスナー１０の平面図である。スライドファスナー１０は、長手方向に長い１本のファスナーテープ１１と、ファスナーテープ１１の幅方向（長手方向に垂直でファスナーテープ１１の表裏面に平行な方向）の一方側端部に、長手方向に沿って取り付けられたファスナーエレメント１２と、ファスナーテープ１１を長手方向の中間部１１ａから折り返して対向させた、ファスナーエレメント１２の長手方向一方側半部１２Ａと、長手方向他方側半部１２Ｂとの間に介在させた四つのスライダー１３（１３ａ、１３ｂ、１３ｃ、１３ｄ）とを備える。なお、ファスナーテープ１１にファスナーエレメント１２を取り付けたものがファスナーストリンガー１０ａである。以下、ファスナーエレメント１２の長手方向一方側半部１２Ａを「左エレメント部１２Ａ」、長手方向他方側半部１２Ｂを「右エレメント部１２Ｂ」といい、ファスナーテープ１１の長手方向一方側半部を「左テープ部１１Ａ」、長手方向他方側半部を「右テープ部１１Ｂ」という。また、左テープ部１１Ａと右テープ部１１Ｂの中間部（折り返し部）１１ａは、図１において下方にある。以下、左右及び上下は、別途指定しない限り、図１の紙面に基づく。また、スライダー１３を、上方から下方へと順に第１スライダー１３ａ、第２スライダー１３ｂ、第３スライダー１３ｃ、及び第４スライダー１３ｄと呼ぶ。
【００１１】
左テープ部１１Ａ及び右テープ部１１Ｂそれぞれの上端付近の幅方向エレメント側端部（幅方向におけるファスナーエレメト１２が取り付けられている側の端部）には、左エレメント部１２Ａ及び右エレメント部１２Ｂそれぞれの上端を規定する上止１４が取り付けらている。スライダー１３は、スライダー１３を移動させるために使用者が引く引き手１３ｅを有する。第１及び第３スライダー１３ａ、１３ｃは、上方の移動で左右エレメント部１２Ａ、１２Ｂ間を閉じ、下方への移動で左右エレメント部１２Ａ、１２Ｂ間を開放するように取り付けられる。第２及び第４スライダー１３ｂ、１３ｄは逆に、上方の移動で左右エレメント部１２Ａ、１２Ｂ間を開き、下方への移動で左右エレメント部１２Ａ、１２Ｂ間を閉じる。第１スライダー１３ａの上方の移動は上止１４によって制限される。第４スライダー１３ｄは、ファスナーエレメント１２の長手方向の中間部１１ａである、左右エレメント部１２Ａ、１２Ｂが交わる下端まで移動可能である。図示はしないが、スライドファスナー１０が完全に閉じた状態において、第１スライダー１３ａは上止１４に接する最上位位置に、第４スライダー１３ｄはファスナーエレメント１２の中間部１１ａに至る最下位位置にあり、かつ、第２及び第３スライダー１３ｂ、１３ｃは、第１及び第４スライダー１３ａ、１３ｄ間の任意の位置で互いに接した状態となる。
【００１２】
図２は、長手方向の中間部１１ａから折り返したファスナーストリンガー１０ａの左右エレメント部１２Ａ、１２Ｂ間に、第１〜第４スライダー１３ａ、１３ｂ、１３ｃ、１３ｄを取り付ける状態を示す説明図である。まず、第４スライダー１３ｄが下向き（下方への移動で左右エレメント部１２Ａ、１２Ｂ間を閉じる方向）に左右エレメント部１２Ａ、１２Ｂ間に上方から連結される。次いで、順に、第３スライダー１３ｃが上向き（上方への移動で左右エレメント部１２Ａ、１２Ｂ間を閉じる方向）に、第２スライダー１３ｂが下向きに、第１スライダー１３ａが上向きに取り付けられる。その後、上止１４が付加されて、スライダー１３のファスナーストリンガー１０ａからの離脱が不能となる。なお、上止１４の付加は必須ではない。例えば、左テープ部１１Ａと右テープ部１１Ｂそれぞれの上端部付近を横断するように袋物（例えば後述する布団カバー２０）の生地を配置して、左右テープ部１１Ａ、１１Ｂ各々と生地とを縫製する。これにより、第１スライダー１３ａは、スライドファスナー１０の最上位位置に移動した時、生地と接する。すなわち、生地が上止１４の代用となるようにしてもよい。また、各スライダー１３ａ、１３ｂ、１３ｃ、１３ｄは、ファスナーストリンガー１０ａが袋物の生地に縫製された後に、左右テープ部１１Ａ、１１Ｂに連結されてもよい。例えば、袋物の生地における最終的に開口部として対向する縁部を開いて水平姿勢に配置し、この縁部に折り返す前のファスナーストリンガー１０ａを縫製した後、生地を袋状になるように折り返して、開いていた縁部を対向させる。これにより、ファスナーストリンガー１０ａに左右テープ部１１Ａ、１１Ｂと中間部１１ａが形成される。その後、各スライダー１３が左右テープ部１１Ａ、１１Ｂに連結される。この手法を採用することで、生地とファスナーストリンガー１０ａの縫製時にスライダー１３が邪魔とならず、縫製が容易となる。
【００１３】
図３は、上述したスライドファスナー１０（長手方向に伸長される）を備えた本考案の一実施形態に係る袋物としての布団カバー２０を示す斜視説明図である。なお、図３のスライドファスナー１０は図１に示したものに比べ長手方向に伸長されるが、実質的に同じものである。また、図３の参照番号３０は布団カバー２０に対し出し入れされる布団である。布団カバー２０は長方形状であり、長手側の左側部２１及び右側部２２と、短手側の上側部２３及び下側部２４とを有する。布団カバー２０は、布団３０の表側を覆う表カバー部２０Ａと、布団３０の裏側を覆う裏カバー部２０Ｂとを含む。表カバー部２０Ａと裏カバー部２０Ｂとは左側部２１で連結する一方、上側部２３、右側部２２及び下側部２４では分離する。そのため、布団カバー２０には、上側部２３と右側部２２と下側部２４とにわたってコの字状に連続する開口部２５が形成され、この開口部２５にスライドファスナー１０が取り付けられる。本実施形態では、スライドファスナー１０は、その図１における上端部（上止１４側）が布団カバー２０の左側部２１と上側部２３との角部２１ａに対応し、長手方向の中間部１１ａが布団カバー２０の左側部２１と下側部２４との角部２１ｂに対応するように取り付けられている。また、図３では、第１スライダー１３ａが、布団カバー２０の上側部２３と右側部２２との角部２２ａまでずらされて、開口部２５の上側部２３に対応する部分が開放して、布団３０の一部が布団カバー２０から出た状態が示される。図３中、参照番号２２ｂは布団カバー２０の右側部２２と下側部２４との角部である。
【００１４】
図４は、布団カバー２０の開口部２５におけるスライドファスナー１０の断面説明図である。スライドファスナー１０の左テープ部１１Ａには、布団カバー２０の表カバー部２０Ａの開口部２５側の端部が糸１で縫い付けられ、同様に、右テープ部１１Ｂには裏カバー部２０Ｂの端部が縫い付けられる。表裏カバー部２０Ａ、２０Ｂは、各端部で折り返されて、左右テープ部１１Ａ、１１Ｂの表面に配置されて縫い付けられる。本実施形態におけるファスナーエレメント１２は、ポリエステル、ナイロン等の熱可塑性樹脂からなるモノフィラメントをコイル状に折曲加工等して形成される。ファスナーエレメント１２は、噛合頭部１２ｃと、噛合頭部１２ｃの上方から水平に延びる上脚部１２ｄと、噛合頭部１２ｃの上方から水平に延びる下脚部１２ｅと、上脚部１２ｄと下脚部１２ｅとを連結するＵ字形の反転部１２ｆとを連続的に有する。左エレメント部１２Ａにおける噛合頭部１２ｃは右エレメント部１２Ｂにおける噛合頭部１２ｃとスライダー１３によって係合及び係合解除される。
【００１５】
以上の布団カバー２０では、布団３０を出し入れする際、例えば、図３に示すように、第１スライダー１３ａのみを上側部２３の左方の角部２１ａから右方の角部２２ａに移動させることにより、上側部２３のみを開放させることができる。これとは逆に、図５に示すように、第４スライダー１３ｄのみを角部２１ｂから角部２２ｂに移動させて下側部２４のみを開放させることができる。また、図６に示すように、第２スライダー１３ｂを角部２１ａに、第３スライダー１３ｃを角部２２ｂにそれぞれ移動させることにより、上側部２３及び右側部２２を開放させることができる。これとは逆に、図７に示すように、第３スライダー１３ｃを角部２１ｂに、第２スライダー１３ｂを角部２２ａにそれぞれ移動させて、下側部２４及び右側部２２を開放させたることができる。なお、例えば図６の状態から第３スライダー１３ｃを角部２１ｂに移動させることにより、開口部２５の全域である上側部２３、右側部２２及び下側部２４を開放させることができる。以上のような開口部２５の開放操作において、スライドファスナー１０が四つのスライダー１３を有するため、各スライダー１３の移動距離は比較的短くてすむ。
【００１６】
図８は、布団カバー２０の角部２２ｂ付近における布団３０と裏カバー部２０Ｂを破断して概略的に示す説明図であり、この図において、布団３０に設けた環状片３１と裏カバー部２０Ｂに設けた連結部２６とが示される。環状片３１は布団３０の四隅に設けられ、連結部２６も裏カバー部２０Ｂの四隅（角部２１ａ、２１ｂ、２２ａ、２２ｂ）に設けられる。なお、環状片３１及び裏カバー部２０Ｂは四隅に加えて四隅間の中間部にも付加され得る。環状片３１及び連結部２６は、布団３０及び布団カバー２０の互いのずれを防ぐためのもので、環状片３１に連結部２６を通した後、連結部２６のホック２７を留めることにより、連結部２６が環状片３１に連結される。なお、連結部の他の態様としては、環状片３１に紐や面ファスナー付きテープを結ぶ付けるもの等が知られている。布団カバー２０では、布団３０を出し入れする際に環状片３１と連結部２６の連結や解除を伴う場合、布団カバー２０の開口部２５を大きく開放させなくても、連結又は連結解除を行う連結や解除を行う一組の環状片３１及び連結部２６に最も近い一つのスライダー１３のみを比較的短距離動かせばすむ。そのため、環状片３１と連結部２６の連結や解除にさほど手間がかからない。
【００１７】
図９は、布団カバー２０に使用するファスナーエレメントの別の例であるファスナーエレメント４２を示す図４と同様の断面説明図である。図１０は、図９のファスナーエレメント４２を上から見た拡大図である。ファスナーエレメント４２以外は図４等と同じ構成であるため同じ参照番号を付す。参照番号４２Ａは左エレメント部を、４２Ｂは右エレメト部をそれぞれ示す。本実施形態におけるファスナーエレメント４２は、ポリエステル、ナイロン等の熱可塑性樹脂からなるモノフィラメントをジグザグ状に折曲加工等して形成され、ファスナーテープ１１の表面と裏面を跨ぐように配置される。ファスナーエレメント４２は、噛合頭部４２ｃと、噛合頭部４２ｃの上方から、ファスナーテープ１１の表面に沿って水平に延びる上脚部４２ｄと、噛合頭部４２ｃの下方から、ファスナーテープ１１の裏面に沿って水平に延びる下脚部４２ｅと、長手方向に隣合う上脚部４２ｄ間を連結するＵ字形の上方反転部４２ｆａと、長手方向に隣合う下脚部４２ｅ間を連結するＵ字形の下方反転部４２ｆｂとを連続的に有する。上脚部４２ｄと下脚部４２ｅはファスナーテープ１１を挟んで対向するように配置される。上方反転部４２ｆａと下方反転部４２ｆｂは長手方向において交互に設けられる。左エレメント部４２Ａにおける噛合頭部４２ｃは右エレメント部４２Ｂにおける噛合頭部４２ｃとスライダー１３によって係合及び係合解除される。ファスナーエレメントは、以上の例に限定されるものではなく、ポリアセタール、ナイロン、ポリプロピレン等の熱可塑性樹脂を射出成形して形成される樹脂製のファスナーエレメント、または金属製のファスナーエレメントであってもよい。
【００１８】
図１１は、本考案の第２実施形態に係るスライドファスナー５０の平面図であり、このスライドファスナー５０は、スライダー５３及び上止５４以外は第１実施形態のスライドファスナー１０と構成が共通しているため、同じ参照番を付して説明を省略する。スライドファスナー５０において、スライダー５３は、上中下のスライドファスナー５３ａ、５３ｂ、５３ｃとして三つ設けられる。また、上止５４は左右テープ部１１Ａ、１１Ｂを連結する。上下のスライダー５３ａ、５３ｃは、上方の移動で左右エレメント部１２Ａ、１２Ｂ間を閉じ、下方への移動で左右エレメント部１２Ａ、１２Ｂ間を開放する。中間のスライダー５３ｂは、上方の移動で左右エレメント部１２Ａ、１２Ｂ間を開き、下方への移動で左右エレメント部１２Ａ、１２Ｂ間を閉じる。図１２は、スライドファスナー５０を適用した布団カバー７０の斜視説明図である。この場合も、布団カバー７０に対する布団３０の出し入れ時における各スライダー５３の移動距離は比較的短くてすむ。
【符号の説明】
【００１９】
１０、５０  スライドファスナー
１０ａ  ファスナーストリンガー
１１  ファスナーテープ
１１Ａ  左テープ部
１１Ｂ  右テープ部
１１ａ  中間部
１２、４２  ファスナーエレメント
１２Ａ、４２Ａ  左エレメント部（ファスナーエレメントの長手方向一方側半部）
１２Ｂ、４２Ｂ  右エレメント部（ファスナーエレメントの長手方向他方側半部）
１３、５３  スライダー
１３ａ  第１スライダー
１３ｂ  第２スライダー
１３ｃ  第３スライダー
１３ｄ  第４スライダー
２０、７０  布団カバー
２０Ａ  表カバー部
２０Ｂ  裏カバー部
２１  左側部
２２  右側部
２３  上側部
２４  下側部
２５  開口部
３０  布団
【図１】
0003176174.tif 000003
【図２】
0003176174.tif 000004
【図３】
0003176174.tif 000005
【図４】
0003176174.tif 000006
【図５】
0003176174.tif 000007
【図６】
0003176174.tif 000008
【図７】
0003176174.tif 000009
【図８】
0003176174.tif 000010
【図９】
0003176174.tif 000011
【図１０】
0003176174.tif 000012
【図１１】
0003176174.tif 000013
【図１２】
0003176174.tif 000014